(57)【要約】      （修正有）【課題】モータのトルクの負荷が低減され、研磨盤が回転する中心の死角を解消し、ジュースを搾るための研磨効率を高めるジューサーの研磨盤の改良構造を提供する。【解決手段】第１、第２研磨領域１，２を有する研磨盤体１０を設け、第１、２研磨領域には放射状に排列された鋸歯片１１が設けられ、鋸歯片には尖状突起部が設けられ、鋸歯片と盤体の間には斜めに尖った凹溝が設けられ、第１、２研磨領域の鋸歯片は交錯して間隔を空けて排列される。研磨盤体の中間の偏心位置には三角状に排列された第１偏心歯３が設けられ、第１偏心歯には盤体から斜めになった突起部が設けられ、その端部に垂直の裁断面が設けられ、第１偏心歯の間には第２偏心歯４が設けられ、鋸歯片には尖状突起部が設けられ、鋸歯片と盤体の間には斜めに尖った凹溝が設けられる。【選択図】図１
0003171618.tif 000002
【実用新案登録請求の範囲】
【請求項１】
外から内に向かって外研磨領域と中心研磨領域を有する盤体を設けたジューサーの研磨盤の改良構造であって、
前記外研磨領域は第１研磨領域と第２研磨領域に分けられ、前記第１、第２研磨領域にはそれぞれ放射状に間隔を空けて排列された鋸歯片を設け、前記第２研磨領域の鋸歯片を第１研磨領域の隔てられた２つの鋸歯片の間に排列し、前記中心研磨領域は、盤体の中間の偏心位置に設けられると共に、前記中心研磨領域には三角状に排列された第１偏心歯を設け、前記第１偏心歯の間に第２偏心歯を設け、ジューサーのフィード管は盤体の中心点から偏心するものの中心点を含んで設けられ、
前記盤体を果菜ジューサーに組み立て、研磨する際に前記盤体に設けられた内、外研磨領域の異なる形態の鋸歯片によって、ジューサーの研磨効率を高めることを特徴とするジューサーの研磨盤の改良構造。
【請求項２】
第１、第２研磨領域に設けられた前記鋸歯片に尖状の突起部を設け、鋸歯片と盤体間の間に斜めに尖った凹溝を設けたことを特徴とする、請求項１に記載のジューサーの研磨盤の改良構造。
【請求項３】
中心研磨領域に設けられた前記第１偏心歯に、盤体から突出した斜状の突起部を設け、突起部の端部には盤体と垂直になった裁断面があることを特徴とする、請求項１に記載のジューサーの研磨盤の改良構造。
【請求項４】
中心研磨領域に設けられた前記第２偏心歯に尖状の突起部を設け、鋸歯片と盤体の間に斜めに尖った凹溝を設けたことを特徴とする、請求項１に記載のジューサーの研磨盤の改良構造。
【請求項５】
前記盤体の各鋸歯片の適度な間隔位置に、対称となった固定孔を斜めに設けたことを特徴とする、請求項１に記載のジューサーの研磨盤の改良構造。
【考案の詳細な説明】
【技術分野】
【０００１】
本考案は、ジューサーの研磨盤の改良構造に関し、より詳しくは、内、外研磨領域、及び偏心研磨領域を設けることで、ジューサーの研磨効率を高める研磨盤構造に関する。
【背景技術】
【０００２】
一般の果菜ジューサーの構造は、通常研磨台、機座、及び前記機座に設けられてモータに枢設された研磨盤を含み、果菜等の食物が投入されると、機座のモータが伝動して前記研磨盤を高速で回転させてジュースを搾る目的を達成する。
【考案の概要】
【考案が解決しようとする課題】
【０００３】
しかしながら、前述した従来の技術では、ジュースを搾る全工程が完全に研磨盤の回転、切削、研磨によるため、前記研磨盤に設けられた鋸歯片が特に外重要であることから、如何にして研磨効率を高めて、ジュースを搾る効果が遺憾なく発揮されるかが、業者が改良しようとする所以である。発明人はこれに鑑みて、前記業務に長年従事した経験に基づき、絶え間ない研究、実験を重ねた結果、ジューサーの効率を良くするために、遂に研磨盤の構造を改良することとなった。
【０００４】
本考案は、このような従来の問題に鑑みてなされたものである。上記課題解決のため、本考案は、研磨盤の内、外研磨領域に間隔を置いて研磨歯を排列することで研磨回転のトルクの負荷を低減し、偏心研磨領域を設けて研磨中心の死角を解消して、ジューサーの研磨効率を高めるジューサーの研磨盤の改良構造を提供することを主目的とする。
【課題を解決するための手段】
【０００５】
上述した課題を解決し、目的を達成するために、本考案に係るジューサー研磨盤の改良構造は、主に外から内に向かって第１研磨領域と第２研磨領域を有する盤体を設け、このうち、前記第１、第２研磨領域には間隔を空けて交錯して放射状に排列された鋸歯片が設けられ、前記鋸歯片には尖状の突起部が設けられ、鋸歯片と盤体の間には斜めに尖った凹溝が設けられ、盤体の中間の偏心位置には、概ね三角状に排列された第１偏心歯が設けられ、前記第１中心歯に盤体から斜めになった突起部が設けられ、その端部に垂直の裁断面が設けられ、前記第１偏心歯の間には第２偏心歯が設けられ、前記鋸歯片には尖状の突起部が設けられ、鋸歯片と盤体の間には斜めに尖った凹溝が設けられ、前記第１、第２研磨領域を交錯して排列された鋸歯片によってジューサーを回転させて切削する際、モータのトルクの負荷が低減され、第1、２偏心歯がジューサーの研磨盤が回転する中心の死角を解消して、研磨効率を高めることを特徴とする。
【考案の効果】
【０００６】
本考案によれば、ジューサーの研磨効率が高められる。
【図面の簡単な説明】
【０００７】
【図１】本考案の第１実施形態による平面図である。
【図２Ａ】本考案の第１実施形態による第１、２研磨領域の鋸歯片の断面図である。
【図２Ｂ】本考案の第１実施形態による第１偏心歯の断面図である。
【図３Ａ】本考案の第１実施形態による第２偏心歯の断面図である。
【図３Ｂ】本考案の第１実施形態による固定孔の断面図である。
【図４】本考案の第１実施形態によるジューサーの組立て実施例の説明図である。
【図５】本考案の第１実施形態による盤体とフィード管を偏心させて設けた実施例の説明図である。
【図６】本考案の第１偏心歯、盤体、及びフィード管を偏心させて設けた別の実施例の説明図である。
【考案を実施するための形態】
【０００８】
以下に図面を参照して、本考案を実施するための形態について、詳細に説明する。なお、本考案は、以下に説明する実施形態に限定されるものではない。
【０００９】
まず、本考案に係るジューサーの研磨盤の改良構造の第１実施形態について説明する。
本考案の第１実施形態の構成を図１及図２Ａ、図２Ｂ、図３Ａ、図３Ｂに示す。これらは本考案に係る盤体の平面図及び各鋸歯片の断面図である。図に示される様に、本考案は主に外から内に向かって外研磨領域Ａと中心研磨領域Ｂを有する盤体１０を設け、このうち、前記外研磨領域Ａはさらに外縁に設けられた第１研磨領域１と、内縁に設けられた第２研磨領域２に区分され、前記第１研磨領域１には放射状に間隔を空けて排列された鋸歯片１１を設け、前記鋸歯片１１には尖状の突起部１１１が設けられ、鋸歯片１１と盤体１０の間には斜めに尖った凹溝１２が設けられる。前記第２研磨領域２は、放射状に間隔を空けて排列された鋸歯片２１を設け、前記鋸歯片２１には尖状の突起部２１１が設けられ、鋸歯片２１と盤体１０の間には斜めに尖った凹溝２２が設けられ、前記鋸歯片２１は第１研磨領域１の隔てられた２つの鋸歯片１１の間に排列される。前記中心研磨領域Ｂは盤体１０の中間の偏心位置に設けられ、それには概ね三角状に排列された第１偏心歯３が設けられ、前記第１偏心歯３には盤体１０から突出した斜状の突起部３１が設けられ、その端部には盤体１０と垂直になった裁断面３２が設けられる。前記第１偏心歯３の間に第２偏心歯４が設けられ、前記第２偏心歯４には尖状の突起部４１が設けられ、第２偏心歯４と盤体１０間には斜めに尖った凹溝４２が設けられ、前記盤体１０の各鋸歯片の適度な間隔位置に対称となった固定孔５１、５２が斜めに設けられる。前記の部材で前記盤体１０を果菜ジューサーに組立てて研磨する際、前記盤体１０に設けられた外研磨領域Ａの第１研磨領域１、第２研磨領域２を交錯して排列された鋸歯片によりジューサーを回転させて切削すると、モータのトルクの負荷が低減されて、中心研磨領域Ｂの第１偏心歯３、第２偏心歯４がジューサーの研磨盤が回転する中心の死角を解消して、ジューサーの研磨効率を高める。
【００１０】
図４は、本考案によるジューサーの組立て実施例の図である。図に示される様に、本考案では組立てられる際、公知のジューサーのように研磨台６１、機座６２、及びフィード管６３１のある蓋体６３が設けられ、前記機座６２にはモータ６４が設けられ、モータ６４の軸心にボルト６４１を枢設して、盤体１０をフィルタ６５に嵌設して、前記盤体１０をボルト６４１で螺合することによって、蓋体６３を被せた上で、蓋体６３のフィード口６３１から果菜等の食物を投入して、底部に鋸歯片が設けられた押圧バー６６で推し込んで、機座６２のモータ６４の回転によって、前記盤体１０が高速回転して、ジュースを絞る目的を達する。このうち、盤体１０が回転すると、外研磨領域Ａの第１研磨領域１、第２研磨領域２を交錯して排列された鋸歯片が、ジューサーが回転して切削する際、同一軸線に鋸歯片を排列して回転し切削するのに比べ、モータのトルクの負荷を低減することができ、第１偏心歯３、第２偏心歯４がジューサーの研磨盤が回転する中心の死角を解消することにより、ジュースを搾る最高の効果が発揮されて、研磨効率を高める。
【００１１】
図５は、本考案によるジューサーの組立て実施例の図である。図に示される様に、フィード管６３１は盤体１０の中心点から逸脱するものの中心点を含む偏心方式で設置される。
【００１２】
図６は、本考案によるジューサーの組立ての別の実施例の図である。図に示される様に、フィード管６３１は盤体１０の中心点から逸脱するものの中心点を含む偏心方式で設置され、また、第1偏心歯３は第1研磨領域１、第２研磨領域２と同じ鋸歯片を設ける。
【００１３】
以上の記述をまとめると、本考案は研磨盤に異なる形態の鋸歯片の内、外研磨領域を設け、ジューサーの研磨盤を内、外研磨領域、及び研磨領域に設けられた異なる形態の鋸歯片により、ジューサーの研磨効率を高めることができる。
【００１４】
以上、本考案はこのような実施形態に限定されるものではなく、考案の趣旨を逸脱しない範囲において、種々の形態で実施することができる。
【符号の説明】
【００１５】
１０：盤体、１：第１研磨領域、１１：鋸歯片、１１１：突起部、１２：凹溝、２： 第２研磨領域、２１：鋸歯片、２１１：突起部、２２：凹溝、３：第1偏心歯、３１：突起部、３２：裁断面、４：第２偏心歯、４１：突起部、４２：凹溝、５１：固定孔、５２：固定孔、６１：研磨台、６２：機座、６３：蓋体、６３１：フィード管、６４：モータ、６４１：ボルト、６５：フィルタ、６６：押圧バー、Ａ：外研磨領域、Ｂ：中心研磨領域。
【図１】
0003171618.tif 000003
【図２Ａ】
0003171618.tif 000004
【図２Ｂ】
0003171618.tif 000005
【図３Ａ】
0003171618.tif 000006
【図３Ｂ】
0003171618.tif 000007
【図４】
0003171618.tif 000008
【図５】
0003171618.tif 000009
【図６】
0003171618.tif 000010